(57)【要約】【課題】枢支ピンに負荷される捩れ力を軽減して化粧料容器のオール樹脂化を図る。【解決手段】化粧料の充填空間を有する容器本体（１）と、この容器本体（１）に枢支ピン（５）を介して揺動可能に保持される蓋体（２）とを備えた化粧料容器において、前記枢支ピン（５）を、容器本体（１）に嵌合する第１の軸部（５ａ）とこの第１の軸部（５ａ）に一体的につながり蓋体（２）に嵌合する第２の軸部（５ｂ）とにて構成し、このうち、一方を円形断面を有するものとし、もう一方を多角形断面を有するものとする。【選択図】図１
2005102977.tif 000002
【特許請求の範囲】
【請求項１】
化粧料の充填空間を有する容器本体と、この容器本体に枢支ピンを介して揺動可能に保持される蓋体とを備えた化粧料容器であって、
前記枢支ピンは、容器本体に嵌合する第１の軸部とこの第１の軸部に一体的につながり蓋体に嵌合する第２の軸部からなり、
前記第１の軸部及び第２の軸部のうち、一方は円形断面を有し、もう一方は多角形断面を有することを特徴とする化粧料容器。
【請求項２】
円形断面を有する軸部は、蓋体に対して任意の位置にて開閉姿勢を維持するフリーストップ機能をもたせるものである、請求項１記載の化粧料容器。
【請求項３】
容器本体、蓋体及び枢支ピンは何れもが合成樹脂よりなる請求項１又は２記載の化粧料容器。
【請求項４】
前記第２の軸部が、その長手方向に沿って延びる少なくとも１本の溝部を有する請求項１〜３の何れかに記載の化粧料容器。
【発明の詳細な説明】
【技術分野】
【０００１】
本発明は、容器本体と蓋体とが蝶着され、ファンデーションやアイシャドー、ハンドクリームや頭髪用ジェル等の化粧料を入れるのに適した化粧料容器に関するものであり、容器本体と蓋体とをつなぐ蝶番部分の強化を図ろうとするものである。
【背景技術】
【０００２】
化粧料を入れるのに使用される化粧料容器として最も代表的なものとしてコンパクトがある。かかる容器は化粧料を収納する容器本体と、この容器本体に合わさる蓋体とが蝶着されており、それらの部材を共に貫通する枢支ピンを介して連結し該枢支ピンを支点に蓋体を揺動させることで蓋体の開閉を行うのが一般的になっている。
【０００３】
前記枢支ピンは、蓋体の開閉時に比較的大きな負荷（捩れ力）がかかる部位であって、その部位の強度を確保する観点から従来は金属製の枢支ピンが使用されていたが、化粧料容器の廃棄時における分別回収が省略できるように該枢支ピンを含めた全ての部材を合成樹脂にて構成した化粧料容器（オール樹脂コンパクト）も見られるようになってきている（例えば特許文献１参照）。
【０００４】
【特許文献１】特開平１１−２８５４１１号公報
【０００５】
ところで、部材の全てを合成樹脂にて構成した化粧料容器では、枢支ピンと蓋体との相互間あるいは枢支ピンと容器本体との相互間で摩擦抵抗を高めて（嵌合度合いを大きくする）蓋体を任意の位置で停止させておくフリーストップ機能をもたせた場合に、蓋体の開閉時に大きな捩れ力が作用するため枢支ピンの耐久性が早期のうちに劣化してしまうことが懸念された。
【発明の開示】
【発明が解決しようとする課題】
【０００６】
本発明の課題は、上記したような従来の問題を解消できる新規な化粧料容器を提案するところにある。
【課題を解決するための手段】
【０００７】
本発明は、化粧料の充填空間を有する容器本体と、この容器本体に枢支ピンを介して揺動可能に保持される蓋体とを備えた化粧料容器であって、
前記枢支ピンは、容器本体に係合する第１の軸部とこの第１の軸部に一体的につながり蓋体に係合する第２の軸部からなり、
前記第１の軸部及び第２の軸部のうち、一方は円形断面を有し、もう一方は多角形断面を有することを特徴とする化粧料容器である。
【０００８】
枢支ピンは円形断面を有する軸部が、蓋体に対して任意の位置にて開閉姿勢を維持するフリーストップ機能をもたせるものが好ましい。
【０００９】
また、上記の構成になる化粧料容器は容器本体、蓋体及び枢支ピンは何れもが合成樹脂にて構成するのが望ましい。
【００１０】
さらには、枢支ピンの第２の軸部は、その長手方向に延びる少なくとも１本の溝部を設けることができる。
【発明の効果】
【００１１】
枢支ピンの軸部を円形断面と多角形断面の２つで構成し、多角形断面を有する軸部は蓋体あるいは容器本体において一体化させ（相対変位は起こらない）、円形断面を有する軸部にて蓋体を揺動させるようにしたので、枢支ピンにかかる捩れ力は軽減される。
【発明を実施するための最良の形態】
【００１２】
以下、図面を用いて本発明をより具体的に説明する。
図１〜３は本発明に従う化粧料容器の実施の形態をコンパクトを例として示した図であり、図１は化粧料容器の外観斜視図であり、図２は図１の要部の拡大図であり、図３は枢支ピンの外観斜視図である。
【００１３】
図における１は、化粧料の充填空間を形成する容器本体、２は容器本体１に合わさる蓋体、３、４は容器本体１及び蓋体２のそれぞれに設けられたピン孔（図２参照）、５はピン孔３、４に圧入され蓋体２を容器本体１に対して揺動可能に保持する枢支ピンである。
【００１４】
枢支ピン５は、図３に示す如く面取りを施した四角形断面を有し容器本体１のピン孔３に嵌合する第１の軸部５ａと、この第１の軸部５ａの先端で一体的につながり蓋体２のピン孔４に嵌合する円形断面の第２の軸部５ｂからなっている。
【００１５】
枢支ピン５の第２の軸部５ｂは蓋体２のピン孔４に圧入されるもので、蓋体２を開閉する場合にその相互間に揺動抵抗が生じて蓋体２を任意の位置に停止できるフリーストップ機能が付与される。
【００１６】
蓋体２を開閉すべくそれを揺動させると、第２の軸部５ｂには揺動抵抗に応じた捩れ力が発生するが、第１の軸部５ａは容器本体１のピン孔３の中で固定状態にあることから該第１の軸部５ａには捩れ力は発生することはなく、その結果として枢支ピン５の全体に負荷される捩れ力は軽減されることになる。
【００１７】
上記のような構成になる枢支ピン５を適用した場合、合成樹脂で成形しても充分な耐久性が確保することができるので化粧料容器の廃棄に際して分別する手間が省ける。
【００１８】
本発明の実施の形態では、枢支ピン５の第２の軸部５ｂを円形断面とした場合について示したが、図４に示すように第２の軸部５ｂを角形断面とし、第１の軸部５ａを円形断面としてもよくこの点については限定されない。
【００１９】
図５は本発明の第３の実施の形態を示したものである。本実施例は枢支ピン５の第２の軸部５ｂにその長手方向に沿って延びるように溝部５ｃが設けられている。この溝部５ｃは枢支ピン５の蓋体２のピン孔４への圧入時に、ピン孔４内の空気を外部に逃がすためのものであって、これにより枢支ピン５の圧入後の浮き等を防止することが可能となる。なお、前記溝部５ｃは直線状に延びるものには限られるわけではなく、長手方向に延びるものであれば曲線状あるいは螺旋状に形成してもよく、その本数も少なくとも１本以上形成されていればよい。
【００２０】
本発明の実施の形態では、化粧料容器をコンパクトとして示したが、容器本体と蓋体とが蝶着された化粧料容器であればジャータイプの化粧料容器にも適用可能であり、容器の形式は適宜選択可能である。
【産業上の利用可能性】
【００２１】
化粧料容器を構成する部材を全て同材質にて構成できるので、分別廃棄の手間がかからない。
【図面の簡単な説明】
【００２２】
【図１】本発明に従う化粧料容器の実施の形態を示した図である。
【図２】図１に示した化粧料容器の要部拡大図である。
【図３】枢支ピンの外観斜視図である。
【図４】枢支ピンの外観斜視図である。
【図５】第３の実施の形態を示した枢支ピンの外観斜視図である。
【符号の説明】
【００２３】
１  容器本体
２  蓋体
３  ピン孔
４  ピン孔
５  枢支ピン
５ａ  第１の軸部
５ｂ  第２の軸部
５ｃ  溝部
【図１】
2005102977.tif 000003
【図２】
2005102977.tif 000004
【図３】
2005102977.tif 000005
【図４】
2005102977.tif 000006
【図５】
2005102977.tif 000007